(57)【要約】【課題】搬送トレイが記録又は再生位置まで搬送体を引き込むとともに、装置本体の厚さを増大させない搬送機構を提供する。【解決手段】載置面部１２と、搬送体を保持する保持手段２２とを有し、載置面部１２を略水平にして装置本体２外へ臨ませる挿脱位置と、載置面部１２を略垂直にして置本体２内に収納する記録又は再生位置とに亘って回動される搬送トレイ３と、装置本体２内において、主面部を略水平方向と略垂直方向とに亘って回動可能に支持され、記録又は再生位置に回動された搬送体を支持部材５２と共に挟持するクランプ部材５と、搬送トレイ３を回動させる駆動機構６とを備える。【選択図】図２
2008226364.tif 000002
【特許請求の範囲】
【請求項１】
記録媒体が載置される載置面部と、上記載置面部に載置された上記記録媒体を保持する保持手段とを有し、上記載置面部を略水平にして装置本体外へ臨ませる挿脱位置と、上記載置面部を略垂直にして上記装置本体内に収納する記録又は再生位置とに亘って回動されるトレイと、
上記装置本体内において、主面部を略水平方向と略垂直方向とに亘って回動可能に支持され、上記記録又は再生位置に回動された上記記録媒体を支持機構と共に挟持するクランプ部材と、
上記トレイを移動させる移動機構とを備える搬送機構。
【請求項２】
上記保持手段は、上記トレイが上記挿脱位置と上記記録又は再生位置とに亘って回動される間、上記記録媒体の外周を保持し、上記記録又は再生位置において上記クランプ部材が上記記録媒体を挟持すると、上記記録媒体から離間されることを特徴とする請求項１記載の搬送機構。
【請求項３】
上記トレイは、２軸で支持されていることを特徴とする請求項１記載の搬送機構。
【請求項４】
上記クランプ部材は、１軸で支持されていることを特徴とする請求項３記載の搬送機構。
【請求項５】
上記トレイは、左右両側縁部に長手方向に亘って隆起する土手部が設けられ、
上記クランプ部材は、略水平状態から略垂直状態に回動付勢されるとともに、上記トレイの回動に連動して上記土手部に摺動しながら回動されることを特徴とする請求項１記載の搬送機構。
【請求項６】
上記トレイは、上記載置部に載置された上記記録媒体の径に応じて上記保持手段が移動することを特徴とする請求項１記載の搬送機構。
【請求項７】
上記記録又は再生位置へ搬送された上記記録媒体を支持する支持テーブルと、該支持テーブルに支持された上記記録媒体に対して情報を書き込み又は読み出す読み取り又は書き込み手段とを有し、上記装置本体内において略水平方向に移動可能とされたベースユニットを備え、
上記駆動機構は、上記トレイが上記記録又は再生位置に搬送された後に上記支持テーブルが上記記録媒体を支持するように上記ベースユニットを上記トレイに近接させることを特徴とする請求項１記載の搬送機構。
【請求項８】
上記駆動機構は、一の駆動源によって上記トレイ及びベースユニットを移動させることを特徴とする請求項１記載の搬送機構。
【請求項９】
装置本体と、
記録媒体が載置される載置面部と、上記載置面部に載置された上記記録媒体を保持する保持手段とを有し、上記載置面部を略水平にして上記装置本体外へ臨ませる挿脱位置と、上記載置面部を略垂直にして上記装置本体内に収納する記録又は再生位置とに亘って回動されるトレイと、
上記装置本体内において、主面部を略水平方向と略垂直方向とに亘って回動可能に支持され、上記記録又は再生位置に回動された上記記録媒体を支持機構と共に挟持するクランプ部材と、
上記トレイを移動させる移動機構とを備える搬送装置。
【請求項１０】
上記装置本体は、その厚みを上記記録媒体の径以下とされることを特徴とする請求項９記載の搬送装置。
【請求項１１】
装置本体と、
記録媒体が載置される載置面部と、上記載置面部に載置された上記記録媒体を保持する保持手段とを有し、上記載置面部を略水平にして上記装置本体外へ臨ませる挿脱位置と、上記載置面部を略垂直にして上記装置本体内に収納する記録又は再生位置とに亘って回動されるトレイと、
上記装置本体内において、主面部を略水平方向と略垂直方向とに亘って回動可能に支持され、上記記録又は再生位置に回動された上記記録媒体を支持機構と共に挟持するクランプ部材と、
上記トレイを移動させる移動機構とを備え、
上記装置本体が組み込まれると共に、上記トレイの挿脱口が設けられた電子機器。
【請求項１２】
厚みを上記記録媒体の径以下とされることを特徴とする請求項１１記載の電子機器。
【請求項１３】
搬送体が載置される載置面部と、上記載置面部に載置された上記搬送体を保持する保持手段とを有し、上記載置面部を第１の方向に向けて装置本体外へ臨ませる挿脱位置と、上記載置面部を上記第１の方向と略直交する第２の方向に向けて装置本体内に収納する収納位置とに亘って回動される搬送トレイと、
上記搬送トレイを回動させる駆動機構とを備える搬送機構。
【請求項１４】
上記搬送トレイは、上記挿脱位置において上記載置面部を略水平状態とし、上記収納位置において上記載置面部を略垂直状態とすることを特徴とする請求項１３記載の搬送機構。
【請求項１５】
上記搬送体は、記録媒体であり、
上記保持手段は、該記録媒体の外周面を保持するものであり、
上記収納位置に搬送された上記記録媒体を支持する支持テーブルと、該支持テーブルに支持された上記記録媒体に対して情報を書き込み又は読み出す読み取り又は書き込み手段とを備え、上記支持テーブルが上記収納位置に搬送された上記記録媒体と係脱される方向に移動可能とされたベースユニットと、
上記装置本体内において、回動可能に支持され、上記収納位置に回動された上記記録媒体を上記支持テーブルと共に挟持するクランプ部材と、
を備えることを特徴とする請求項１３又は１４のいずれか１項に記載の搬送機構。
【請求項１６】
上記保持手段は、上記搬送トレイが上記挿脱位置と上記収納位置とに亘って回動される間、上記記録媒体を保持し、上記収納位置において上記クランプ部材が上記記録媒体を挟持すると、上記搬送体から離間されることを特徴とする請求項１５記載の搬送機構。
【請求項１７】
上記搬送トレイは、２軸で支持されていることを特徴とする請求項１３記載の搬送機構。
【請求項１８】
上記クランプ部材は、１軸で支持されていることを特徴とする請求項１７記載の搬送機構。
【請求項１９】
上記搬送トレイは、左右両側縁部に長手方向に亘って隆起する土手部が設けられ、
上記クランプ部材は、略水平方向から略垂直方向に回動付勢されるとともに、上記搬送トレイの回動に連動して上記土手部に摺動しながら回動されることを特徴とする請求項１５記載の搬送機構。
【請求項２０】
上記駆動機構は、上記搬送トレイが、上記収納位置に搬送された後に上記支持テーブルが上記記録媒体を支持するように上記ベースユニットを上記搬送トレイに近接させることを特徴とする請求項１５記載の搬送機構。
【請求項２１】
装置本体と、
搬送体が載置される載置面部と、上記載置面部に載置された上記搬送体を保持する保持手段とを有し、上記載置面部を第１の方向に向けて上記装置本体外へ臨ませる挿脱位置と、上記載置面部を上記第１の方向と略直交する第２の方向に向けて上記装置本体内に収納する収納位置とに亘って回動される搬送トレイと、
上記搬送トレイを回動させる駆動機構とを備える搬送装置。
【請求項２２】
上記搬送体は記録媒体であり、
上記装置本体は、その厚みを上記記録媒体の径以下とされることを特徴とする請求項２１記載の搬送装置。
【請求項２３】
装置本体と、
搬送体が載置される載置面部と、上記載置面部に載置された上記搬送体を保持する保持手段とを有し、上記載置面部を第１の方向に向けて上記装置本体外へ臨ませる挿脱位置と、上記載置面部を上記第１の方向と略直交する第２の方向に向けて上記装置本体内に収納する収納位置とに亘って回動される搬送トレイと、
上記搬送トレイを回動させる駆動機構とを備え、
上記装置本体が組み込まれると共に、上記搬送トレイの挿脱口が設けられた電子機器。
【請求項２４】
上記搬送体は記録媒体であり、
厚みを上記記録媒体の径以下とされることを特徴とする請求項２３記載の電子機器。
【発明の詳細な説明】
【技術分野】
【０００１】
本発明は、搬送トレイを用いて搬送体を装置本体内外に亘って搬送する搬送機構に関し、特に、搬送トレイを第１の方向に向けることにより搬送体の着脱を行い、第１の方向と略直交する方向に向けることにより搬送体を装置本体内に収納する搬送機構及びこの搬送機構を用いた搬送装置、並びに電子機器に関する。
【背景技術】
【０００２】
光ディスクとしては、従来よりＣＤ(Compact Disk)やＤＶＤ(Digital Versatile Disk)、ＢＤ(Blue-ray Disk)といった光ディスク、ＭＯ(Magneto optical)やＭＤ(Mini Disk)等の光磁気ディスクが広く知られており、これらディスクやディスクカートリッジ等に対応した各種のディスクドライブ装置が登場している。
【０００３】
ディスクドライブ装置には、筐体に設けられた蓋や扉を開放し、そこから臨むターンテーブルにディスクを直接装着するタイプ、筐体から水平方向に出し入れされるディスクトレイにディスクを載置することで、ディスクトレイが引き込まれた際にディスクが筐体内部のターンテーブルに自動的に装着されるタイプ、或いはこのディスクトレイに設けられたターンテーブルにディスクを直接装着するタイプ、さらに筐体の側面に設けられたディスク挿脱口からディスクを挿入するだけでディスクが自動的にターンテーブルに装着される、いわゆるスロットインタイプ等がある。
【０００４】
ここで、ディスクトレイに光ディスクを載置した状態でディスクトレイを水平方向に引き込むディスクドライブ装置は、ディスクトレイが水平方向に向かってスライドされることにより、光ディスクが挿脱される挿脱位置と光ディスクに対して情報信号の記録又は再生が行われる記録又は再生位置とに亘って搬送されるため、装置本体もディスクトレイのスライド方向に少なくとも光ディスクの径以上の長さを備える必要がある。したがって、ディスクトレイのスライド方向が装置本体の奥行き方向となるディスクドライブ装置や電子機器においては、装置本体あるいは機器本体の奥行きが光ディスクの径よりも大きくならざるを得なかった。従って、薄型化が図られたモニタ装置等にディスドライブ装置を組み込む場合にも、モニタ装置全体の厚みが、一般的な光ディスクの径である直径約１２ｃｍ以下とすることができなくなる。
【０００５】
【特許文献１】特開２００３−８５８６１号公報
【発明の開示】
【発明が解決しようとする課題】
【０００６】
そこで、本発明は、搬送トレイに搬送体を載置した後は、搬送トレイが記録又は再生位置まで搬送体を引き込むとともに、装置本体の厚さを増大させない搬送機構、この搬送機構が組み込まれた搬送装置及び電子機器を提供することを目的とする。
【課題を解決するための手段】
【０００７】
上述した課題を解決するために、本発明にかかる搬送機構は、記録媒体が載置される載置面部と、上記載置面部に載置された上記記録媒体を保持する保持手段とを有し、上記載置面部を略水平にして装置本体外へ臨ませる挿脱位置と、上記載置面部を略垂直にして上記装置本体内に収納する記録又は再生位置とに亘って回動されるトレイと、上記装置本体内において、主面部を略水平方向と略垂直方向とに亘って回動可能に支持され、上記記録又は再生位置に回動された上記記録媒体を支持機構と共に挟持するクランプ部材と、上記トレイを移動させる移動機構とを備えるものである。
【０００８】
また、本発明にかかる搬送装置は、装置本体と、記録媒体が載置される載置面部と、上記載置面部に載置された上記記録媒体を保持する保持手段とを有し、上記載置面部を略水平にして上記装置本体外へ臨ませる挿脱位置と、上記載置面部を略垂直にして上記装置本体内に収納する記録又は再生位置とに亘って回動されるトレイと、上記装置本体内において、主面部を略水平方向と略垂直方向とに亘って回動可能に支持され、上記記録又は再生位置に回動された上記記録媒体を支持機構と共に挟持するクランプ部材と、上記トレイを移動させる移動機構とを備えるものである。
【０００９】
また、本発明にかかる電子機器は、装置本体と、記録媒体が載置される載置面部と、上記載置面部に載置された上記記録媒体を保持する保持手段とを有し、上記載置面部を略水平にして上記装置本体外へ臨ませる挿脱位置と、上記載置面部を略垂直にして上記装置本体内に収納する記録又は再生位置とに亘って回動されるトレイと、上記装置本体内において、主面部を略水平方向と略垂直方向とに亘って回動可能に支持され、上記記録又は再生位置に回動された上記記録媒体を支持機構と共に挟持するクランプ部材と、上記トレイを移動させる移動機構とを備え、上記装置本体が組み込まれると共に、上記トレイの挿脱口が設けられたものである。
【００１０】
また、上述した課題を解決するために、本発明にかかる搬送機構は、搬送体が載置される載置面部と、上記載置面部に載置された上記搬送体を保持する保持手段とを有し、上記載置面部を第１の方向に向けて装置本体外へ臨ませる挿脱位置と、上記載置面部を上記第１の方向と略直交する第２の方向に向けて装置本体内に収納する収納位置とに亘って回動される搬送トレイと、上記搬送トレイを回動させる駆動機構とを備えるものである。
【００１１】
また、本発明にかかる搬送装置は、装置本体と、搬送体が載置される載置面部と、上記載置面部に載置された上記搬送体を保持する保持手段とを有し、上記載置面部を第１の方向に向けて上記装置本体外へ臨ませる挿脱位置と、上記載置面部を上記第１の方向と略直交する第２の方向に向けて上記装置本体内に収納する収納位置とに亘って回動される搬送トレイと、上記搬送トレイを回動させる駆動機構とを備えるものである。
【００１２】
また、本発明にかかる電子機器は、装置本体と、搬送体が載置される載置面部と、上記載置面部に載置された上記搬送体を保持する保持手段とを有し、上記載置面部を第１の方向に向けて上記装置本体外へ臨ませる挿脱位置と、上記載置面部を上記第１の方向と略直交する第２の方向に向けて上記装置本体内に収納する収納位置とに亘って回動される搬送トレイと、上記搬送トレイを回動させる駆動機構とを備え、上記装置本体が組み込まれると共に、上記搬送トレイの挿脱口が設けられたものである。
【発明の効果】
【００１３】
本発明に係る搬送機構、搬送装置及び電子機器によれば、搬送トレイを載置面部が第１の方向を向く挿脱位置と、第１の方向と略直交する第２の方向を向く収納位置とに亘って回動されることから、挿脱位置における載置面の面方向と収納位置における載置面の面方向とを略９０°異ならせることができる。したがって装置本体の厚さが挿脱位置における搬送トレイの載置面の面方向に厚くする必要がなく、装置全体の薄型化を図ることができる。
【００１４】
また、本発明に係る搬送機構、搬送装置及び電子機器によれば、ディスクトレイに保持部材を設けるとともに、記録又は再生位置でディスクを挟持するように構成することにより、ディスクを載置面部に置くだけで装着でき、また載置面部からそのまま取り出すことができて着脱が容易となる。さらに、記録又は再生時には、ディスクトレイを載置面部を略垂直にして装置本体内に収納されるように構成することにより、トレイ挿脱口を装置本体の前面に設けるとともに装置本体の厚みをディスクの径以下に設計することができる。
【発明を実施するための最良の形態】
【００１５】
以下、本発明にかかる搬送機構、搬送装置及び電子機器について、ディスクドライブ装置及びこのディスクドライブ装置が組み込まれたテレビジョン装置に適用した場合を例に、図面を参照しながら詳細に説明する。
【００１６】
このディスクドライブ装置１は、図１に示すように、直方体の外筐体２を有し、この外筐体２内に、ディスクトレイ３と、ディスクトレイ３によって外筐体２内に搬送された光ディスクに対して情報信号の記録及び／又は再生を行う光ピックアップユニット４と、光ピックアップユニット４のターンテーブル５２とともに光ディスクを挟持するクランパ５と、ディスクトレイ３及び光ピックアップユニット４とを移動させる駆動機構６とが設けられている。
【００１７】
かかるディスクドライブ装置１は、ディスクトレイ３が図１中矢印Ａ方向及び反矢印Ａ方向へ回動可能に支持されており、外筐体２の正面下部に設けられているトレイ挿脱口１０より外筐体２の外方まで回動され、また図２に示すように、ディスクトレイ３が外筐体２内に引き込むように操作される。そしてディスクドライブ装置１は、図３（ａ）に示すように、例えばテレビジョン装置８の一部に組み込まれ、装置本体の正面８ａからディスクトレイ３が載置面部１２を略水平にして外部に臨まされ、光ディスクが載置されるとディスクトレイ３を載置面部１２を略垂直にしてテレビジョン装置８内に引き込まれる。すなわち、ディスクドライブ装置１は、ディスクの挿脱位置におけるディスクトレイ３の面方向とディスクの記録又は再生位置におけるディスクトレイ３の面方向とが略９０°異なり、挿脱位置に置けるディスクトレイ３の面方向に厚みを設ける必要がなくなる。従って、ディスクドライブ装置１が組み込まれたテレビジョン装置８は、光ディスクを略垂直にした状態で光ピックアップユニット４に装着されるため、光ディスクの直径よりも厚さを薄くすることができる。また、正面８ａ側からディスクトレイ３が回動されるため、左右両側面にスピーカ等の周辺機器を密接に配置することができ、また上面に塵埃等が侵入する開口部等もない。
【００１８】
かかるディスクドライブ装置１の外筐体２は、図１に示すように全体を略矩形箱状に形成され、正面２ａにディスクトレイ３が挿脱されるトレイ挿脱口１０が形成されている。トレイ挿脱口１０は、ディスクトレイ３の載置面部１２が外筐体２の内外に亘って回動するのに十分な大きさを有する。また外筐体２は、左右両側面２ｂ，２ｃに後述する駆動軸９０や駆動機構６を構成する駆動モータ６８等が取り付けられている。
【００１９】
ディスクトレイ３は、図４に示すように、全体を矩形平板状に形成され、平面部に光ディスクが載置される載置面部１２と、後述するクランパ５が摺動する土手部１３とが形成され、また両側面部に回動アーム１４が取り付けられる第１の回動支持部１５が形成され、さらに背面部は回動支持片１６が取り付けられる第２の回動支持部１７が形成されている。
【００２０】
載置面部１２は、光ディスクが載置される場所であり、平面部の中央から前方にかけて円形の凹部が形成されてなる。載置面部１２は、大径（例えば、直径約１２ｃｍ）の光ディスクに応じた大径凹部１２ａが形成され、また大径凹部１２ａ内に小径（例えば、直径約８ｃｍ）の光ディスクに応じた小径凹部１２ｂが同心円状に形成されている。小径凹部１２ｂは、大径凹部１２ａよりもさらに一段低い位置に形成されている。そして、載置面部１２は、中心部から左側面側にかけて光ピックアップユニット４のピックアップベース５１を光ディスクの信号記録面に臨ませるピックアップ用開口部２１が形成されている。
【００２１】
また載置面部１２には、後述する保持部材２２の保持アーム２３を載置面部１２上に回動させるガイド溝３０と、保持アーム２３を載置面部１２上から退避させる退避凹部３１が形成されている。
【００２２】
かかるディスクトレイ３は、後述する駆動機構６に駆動されることにより、外筐体２のトレイ挿脱口１０より外部へ排出され、載置面部１２を略水平とした挿脱位置（図１）と、外筐体２内に収納され、載置面部１２を略垂直とした記録又は再生位置（図２）とに亘って回動される。そして、ディスクトレイ３は、挿脱位置においてユーザによって光ディスクが載置面部１２に載置あるいは取り除かれ、また記録又は再生位置において光ディスクが光ピックアップユニット４とクランパ５とによって回転可能にチャッキングされる。
【００２３】
また、載置面部１２は、ディスクトレイ３が記録又は再生位置に回動されることにより載置面部１２を略垂直状態とした際に、光ディスクを保持し脱落を防止する保持部材２２が設けられている。保持部材２２は、光ディスクの外周面を支持することにより保持するものであり、大径ディスクと小径ディスクの径の違いに応じて大径凹部１２ａ内を回動する保持アーム２３と、ディスクトレイ３の裏面部で回転されることにより保持アーム２３を回動させるローター２４と、ローター２４を回転駆動する駆動モータ２５とを備える。
【００２４】
保持アーム２３は、図５及び図６に示すように、略円弧状の平板部材からなり、一端に光ディスクの外周面を支持する支持部２７が形成され、他端にディスクトレイ３の裏面部に回動自在に取り付けられる支点部２８が形成され、中間にローター２４にガイドされるガイド凸部２９が形成されている。この保持アーム２３は、支点部２８がディスクトレイ３の裏面に回動可能に取り付けられることにより、支持部２７が大径凹部１２ａ内に形成されたガイド溝３０及び退避凹部３１より載置面部１２上に突出され、大径凹部１２ａ上をガイド溝３０に沿って移動可能とされている。また保持アーム２３は、図示しないコイルバネによって支持部２７が光ディスクの外周部を支持する載置面部１２の中心方向へ回動付勢されている。そして、保持アーム２３は、ガイド凸部２９がローター２４によってガイドされることにより、載置面部１２に載置された光ディスクの大きさに応じて回動が規制され、光ディスクの搬送時には外周面を支持し、また光ディスクの記録再生時やディスクトレイ３からの挿脱時には外周面より離間される。
【００２５】
保持アーム２３をガイドするローター２４は、円盤状に形成されディスクトレイ３の裏面に回転自在に取り付けられている。このローター２４は、主面部２４ａに保持アーム２３のガイド凸部２９が挿通される回動規制溝３３と、ディスクトレイ３のピックアップ用開口部２１に対応したピックアップ用開口部３４が設けられている。またローター２４は、図６に示すように、外周面２４ｂの一部にラック３５が形成され、駆動ギヤ列３６を介して駆動モータ２５と連結されている。
【００２６】
回動規制溝３３は、ローター２４の回動に応じてガイド凸部２９をガイドし保持アーム２３を回動させるものであり、保持アーム２３を退避凹部３１に退避させる退避溝部３３ａと、保持アーム２３を大径ディスクの外周面に支持させる第１の支持溝部３３ｂと、保持アーム２３を小径ディスクの外周面に支持させる第２の支持溝部３３ｃとを有する。
【００２７】
退避溝部３３ａは、ローター２４の外周面２４ｂ近傍に形成され、ガイド凸部２９がガイドされることにより、支持部２７がガイド溝３０から退避凹部３１へ退避するように保持アーム２３を回動させる。第１の支持溝部３３ｂは、退避溝部３３ａから若干内側にローター２４の外周面２４ｂに沿って形成され、ガイド凸部２９がガイドされることにより、支持部２７が大径ディスクの外周面に当接されるように保持アーム２３を回動させる。第２の支持溝３３ｃは、退避溝部３３ａよりも内側に向かって形成され、ガイド凸部２９がガイドされることにより、支持部２７が小径ディスクの外周面に当接されるように保持アーム２３を回動させる。
【００２８】
ラック３５は、ディスクトレイ３の裏面に取り付けられた駆動ギヤ列３６及び駆動モータ２５と連結される。これによりローター２４は、駆動モータ２５が正転又は逆転駆動されると一方あるいは他方に回転される。
【００２９】
かかる保持部材２２は、ディスクトレイ３が外筐体２の外部へ回動され載置面部１２が略垂直方向を向いた挿脱位置に回動されると、ローター２４が回転されるとともにガイド凸部２９が回動規制溝３３の退避溝部３３ａにガイドされ、支持部２７が載置面部１２に設けられた退避凹部３１に退避されるように、保持アーム２３が回動される。これにより載置面部１２上から支持部２７が退避されるため、大径ディスクあるいは小径ディスクを載置することができる。
【００３０】
また、保持部材２２は、ディスクトレイ３が挿脱位置から載置面部１２が略水平方向を向いた記録又は再生位置に回動され始めると、駆動モータ２５が駆動されローター２４が回転されるとともに、ガイド凸部２９が回動規制溝３３の第１の支持溝部３３ｂ又は第２の支持溝部３３ｃにガイドされ、支持部２７が光ディスクの外周面に当接される。ここで、載置面部１２に大径ディスクが載置された場合は、図７に示すように、支持部２７がディスクの外周面に当接されることにより保持アーム２３の内周方向への回動が規制されるため、ガイド凸部２９は退避溝部３３ａから第１の支持溝部３３ｂへガイドされる。したがって、保持アーム２３は、大径の光ディスクの外周面を支持し、載置面部１２からの脱落を防止することができる。一方、載置面部１２に小径ディスクが載置された場合、図８に示すように、載置面部１２の内周方向に回動付勢されている保持アーム２３は、ガイド凸部２９が退避溝部３３ａから第２の支持溝部３３ｃへ回動可能とされ、支持部２７がガイド溝３０を小径凹部１２ｂ側に向かって移動する。したがって、保持アーム２３は、小径の光ディスクの外周面を支持し、載置面部１２からの脱落を防止することができる。
【００３１】
ディスクトレイ３が記録又は再生位置に回動され、光ディスクがターンテーブル５２及びクランパ５に挟持されると、上記と同様に、保持アーム２３は、ガイド凸部２９が第１又は第２の支持溝部３３ｂ，３３ｃから退避溝部３３ａへガイドされることにより、支持部２７が退避凹部３１に退避される。これにより、保持アーム２３は、光ディスクの外周面から支持部２７が離間され、光ディスクを回転可能とする。
【００３２】
光ディスクの排出が指示されると、保持アーム２３は、上記と同様に、ガイド凸部２９が退避溝部３３ａから第１又は第２の支持溝部３３ｂ，３３ｃへガイドされ、支持部２７によって光ディスクの外周面を支持する。光ディスクが保持アーム２３に支持された後、ディスクトレイ３が記録又は再生位置から挿脱位置へ回動される。
【００３３】
ディスクトレイ３が記録又は再生位置から挿脱位置へ回動されると、ローター２４が逆転されるため、保持アーム２３は、ガイド凸部２９が第１の支持溝部３３ｂ又は第２の支持溝部３３ｃから退避溝部３３ａへ移動される。したがって保持アーム２３は、支持部２７がガイド溝３０から退避凹部３１に退避し、光ディスクの外周面から離間される。これにより、載置面部１２から光ディスクの着脱が可能となる。
【００３４】
また、ディスクトレイ３は、載置面部１２から背面側にかけて、クランパ５が摺動される土手部１３が形成されている。土手部１３は、ディスクトレイ３の左右両側に形成され、主面部よりも漸次背面方向に向かって隆起していく略円弧状に形成されている。かかる土手部１３は、クランパ５と載置面部１２に載置された光ディスクとのクリアランスを確保するものであり、クランパ５のクランプアーム５７に設けられたカムローラ６１が摺動することにより、ディスクトレイ３が挿脱位置と記録又は再生位置との間を回動されている最中にクランパ５が載置面部１２や光ディスクに当接する事態を防止させる。これにより、クランパ５は、ディスクトレイ３の回動中は載置面部１２や光ディスクの信号記録領域に摺接することなく、ディスクトレイ３が記録又は再生位置に回動された後に、光ディスクの中心孔付近に当接される。
【００３５】
またディスクトレイ３は、両側面部に第１の回動支持部１５，１５が形成されている。第１の回動支持部１５，１５は、駆動機構６を構成する回動アーム１４が回動自在に取り付けられている。またディスクトレイ３は、背面部に第２の回動支持部１７が形成されている。第２の回動支持部１７は、駆動機構６を構成する回動支持片１６が回動自在に取り付けられている。そして、ディスクトレイ３は、駆動機構６が駆動されることにより、回動アーム１４が回動操作されることにより、回動支持片１６に背面側を支持されながら挿脱位置と記録又は再生位置とに亘って回動される。
【００３６】
ここで回動アーム１４は、図９に示すように、略半円形の本体部４０と本体部４０の一部から円弧状に突出されたアーム部４１とを有する。本体部４０は外筐体２の左右両側壁２ｂ，２ｃに回転可能に取り付けられ、回転方向に沿ってラック部４０ａ及び係合溝４０ｂが形成されている。またアーム部４１は、先端にディスクトレイ３の第１の回動支持部１５と係合される係合凸部が設けられている。そして回動アーム１４は、本体部４０が回転されるとアーム部４１が外筐体２のトレイ挿脱口１０の内外に亘って回動される。
【００３７】
また回動支持片１６は、図１０に示すように、略Ｌ字状に形成された板状体からなり、長手方向の一端側に幅方向に貫通された軸孔４２が形成され外筐体２の両側面壁に挿通された支軸４３が挿通されている。また回動支持片１６は、図１４に示すように、長手方向の他端側に係止部４４が形成され、ディスクトレイ３の第２の回動支持部１７に回動自在に係止されている。そして回動支持片１６は、軸孔４２に挿通された支軸４３を支点に回転されると、係止部４４が外筐体２内を回動する。
【００３８】
ディスクトレイ３は、これら左右一対の回動アーム１４及び回動支持片１６に両側面及び背面を支持されることにより、２軸で支持されることとなり、挿脱位置や記録又は再生位置、さらには挿脱位置と記録又は再生位置との間における姿勢が規定される。またディスクトレイ３は、それぞれ円弧状に回動される左右一対の回動アーム１４及び回動支持片１６の２軸で支持されることから、挿脱位置と記録又は再生位置との間を円弧状に回動される。
【００３９】
記録又は再生位置に搬送された光ディスクに対して情報信号の記録及び／又は再生を行う光ピックアップユニット４は、図１に示すように、略矩形状のベースシャーシ５０を有し、このベースシャーシ５０上に、ピックアップベース５１やターンテーブル５２を支持するベースフレーム５３が配設されている。ベースシャーシ５０は、略矩形状をなし、外筐体２内に主面を水平方向に向けて配設されている。またベースシャーシ５０は、左右両側面に、駆動機構６によって操作されるガイド軸５５が上下に離間して突設されている。
【００４０】
ベースフレーム５３は、ベースシャーシ５０上にダンパを介して配設され、ベースシャーシ５０とともに駆動機構６によって外筐体２の正面２ａ側と背面２ｄ側との間に亘って搬送される。そしてベースフレーム５３は、ベースシャーシ５０が外筐体２の前面側に搬送されることにより、ベースフレーム５３に設けられたターンテーブル５２が記録又は再生位置に搬送された光ディスクとチャッキングするチャッキング位置に搬送され（図１１）、ベースシャーシ５０が外筐体２の背面側に搬送されることにより、ターンテーブル５２と光ディスクとのチャッキングが解除されるチャッキング解除位置に搬送される（図１０）。
【００４１】
このベースフレーム５３は、詳細を省略する一対のガイド軸がターンテーブル５２近傍より外筐体２の左側壁２ｂ側に向かって配設され、このガイド軸にピックアップベース５１がスライド自在に支持されている。またベースフレーム５３は、ターンテーブル５２が外筐体２の正面側に向かって配設されるとともに、このターンテーブル５２を回転させるスピンドルモータが配設されている。
【００４２】
かかる光ピックアップユニット４は、ディスクトレイ３が記録又は再生位置から挿脱位置へ回動される際には、図９に示すように、駆動機構６によってベースシャーシ５０が外筐体２の背面２ｄ側であるチャッキング解除位置に退避されている。そして載置面部１２に光ディスクが載置され、ディスクトレイ３が挿脱位置から記録又は再生位置へ回動されると、図１１に示すように、駆動機構６によってベースシャーシ５０が外筐体２の正面２ａ側であるチャッキング位置に移動され、クランパ５とともにターンテーブル５２上に光ディスクを回転自在に保持する。その後、ターンテーブル５２がスピンドルモータによって回転されると共に、ピックアップベース５１によって情報信号の書き込みや読み出しが行われる。なお、外筐体２の背面側には、ピックアップベース５１に接続されたフレキシブル配線板や、各種回路や接続コネクタ等が実装されたメイン基板が配設されている。
【００４３】
ベースフレーム５３に支持されたターンテーブル５２と共に光ディスクを挟持するクランパ５は、光ディスクの中心孔付近をターンテーブル５２とともに挟持するクランププレート５６と、クランププレート５６を保持するクランプアーム５７とを有する。
【００４４】
クランププレート５６は、樹脂製の円盤からなり、クランプアーム５７に取り付けられることにより、クランプアーム５７の回動に伴い光ディスクが載置されるターンテーブル５２に対して接離可能とされている。
【００４５】
クランプアーム５７は、略中央部が幅方向に膨出された板金からなり、膨出端にはベースフレーム５３に配設されたターンテーブル５２に対応してクランププレート５６が取り付けられている。またクランプアーム５７は、長手方向の両端部より突設されている図示しない回動軸が外筐体２の両側壁２ｂ，２ｃに挿通支持されることにより、この回動軸を支点に外筐体２内を回動可能とされている。またクランプアーム５７は、回動軸にコイルバネ５９が巻回されることにより、常時、クランププレート５６がターンテーブル５２と近接する図１２中矢印Ｂ方向に回動付勢されている。
【００４６】
さらにクランプアーム５７は、図１４に示すように、長手方向の両端部近傍より、ディスクトレイ３の土手部１３に摺動されるカム片６０が突設されている。カム片６０は、先端に円筒状のカムローラ６１が設けられ、このカムローラ６１が土手部１３を摺動する。かかるカム片６０は、カムローラ６１が土手部１３を摺動することにより、クランププレート５６が載置面部１２に載置された光ディスクと一定の距離を保つために設けられている。すなわち、クランプアーム５７は、回動軸の１軸で支持されて回動されるのに対して、上述したディスクトレイ３は、回動アーム１４及び回動支持片１６の２軸で支持されて円弧状に回動されることから、クランププレート５６の回動軌跡が載置面部１２に載置された光ディスクの中心孔付近から信号記録領域まで移動する。またクランプアーム５７は、回動軸に巻回されたコイルバネ５９によって載置面部１２側に回動付勢されていることから、ディスクトレイ３の搬送中に、クランププレート５６が光ディスクの信号記録領域を摺動してしまうおそれがある。
【００４７】
そこで、クランパ５はクランプアーム５７にカム片６０を設けるとともに、ディスクトレイ３に土手部１３を設け、ディスクトレイ３が記録又は再生位置に回動されたとき以外は、カムローラ６１が土手部１３上を摺動することにより、クランププレート５６が載置面部１２に載置された光ディスクと当接しないようにした。具体的に、クランパ５は、図１２に示すように、ディスクトレイ３が挿脱位置に回動されているとき、土手部１３にカムローラ６１が土手部１３上に位置されるため、クランププレート５６が載置面部１２と所定の距離を隔てた位置に保持される。なお、このときクランパ５は、コイルバネ５９の付勢力に反してクランププレート５６が水平状態とされる反矢印Ｂ方向へ回動されている。またクランパ５は、外筐体２内において回動されるものであるため、外部に露出することはない。また、クランパ５は、コイルバネ５９によって常時矢印Ｂ方向への付勢力を受けているため、がたつきを生じることなく、ディスクトレイ３の回動に応じて回動されていく。
【００４８】
そして、クランパ５は、ディスクトレイ３が挿脱位置から記録又は再生位置へ回動されると、図１３及び図１４に示すように、カムローラ６１が土手部１３を摺動しながら矢印Ｂ方向へ回動されていく。このときも、クランパ５は、クランププレート５６が載置面部１２と距離を隔てた位置に保持されながら回動されていく。その後、クランパ５は、図１５に示すように、ディスクトレイ３が記録又は再生位置まで回動されると、クランププレート５６が載置面部１２に載置された光ディスクの中心孔と対峙されるとともに、カムローラ６１が土手部１３上から退避するため、コイルバネ５９の付勢力を受けて矢印Ｂ方向に回動付勢されているクランププレート５６によってターンテーブル５２とともに光ディスクを挟持することができる。記録再生時において、クランププレート５６は、ターンテーブル５２がスピンドルモータによって回転駆動されることにより、光ディスクとともに回転される。
【００４９】
ディスクトレイ３が記録又は再生位置から挿脱位置まで回動される際には、上記と逆の動作がされることにより、クランパ５は、カムローラ６１が土手部１３上を摺動し、クランププレート５６が載置面部１２と離間した位置に保持されながら、反矢印Ｂ方向へ回動されていく。したがってクランパ５は、クランププレート５６が光ディスクの信号記録領域に摺動することが防止される。
【００５０】
次いで、ディスクトレイ３及び光ピックアップユニット４を駆動させる駆動機構６について説明する。駆動機構６は、図１に示すように、ディスクトレイ３を支持する回動アーム１４及び回動支持片１６と、回動アーム１４と連動して光ピックアップユニット４を移動させるカムプレート６５と、回動アーム１４及びカムプレート６５を駆動させる駆動ギヤ６６と、駆動ギヤ６６と減速ギヤ列６７を介して連結される駆動モータ６８とを有する。
【００５１】
回動アーム１４は、上述したように、略半円形の本体部４０と円弧状に延設されたアーム部４１とを有し、本体部４０が外筐体２の側面壁に回動自在に係止されている。本体部４０には、ラック部４０ａと、カムプレート６５と係合される係合溝４０ｂが形成されている。ラック部４０ａは、駆動モータ６８と連動された駆動ギヤ６６と咬合されることにより回動アーム１４を回転させ、ディスクトレイ３を図１矢印Ａ方向及び反矢印Ａ方向へ回動させる。係合溝４０ｂは、カムプレート６５に突設された係合凸部８３，８４が係合されることにより、回動アーム１４の回転に応じてカムプレート６５を駆動ギヤ６６と咬合可能に上昇させるものである。この係合溝４０ｂは、回動アーム１４の回転方向と同方向に沿って円弧状に形成され、図１０及び図１４に示すように、ディスクトレイ３がほぼ記録又は再生位置に回動されたタイミングで、一端部がカムプレート６５の係合凸部８３，８４に下方から当接する。これにより、回動アーム１４がさらに回転されると、係合溝４０ｂは、係合凸部８３，８４を上方に引き上げ、カムプレート６５を駆動ギヤ６６と咬合させることができる。なお、係合溝４０ｂは、係合凸部８３，８４が係脱される開口部６９が形成されており、係合凸部８３，８４を引き上げた後、カムプレート６５とともに係合凸部８３，８４が開口部６９から上昇されることにより係合が解除され、カムプレート６５が下降されると再度、開口部６９から係合凸部８３，８４が係合される。
【００５２】
アーム部４１は、上述したように、先端部がディスクトレイ３の第１の回動支持部１５と回動自在に係合されている。なおアーム部４１は、ディスクトレイ３を外筐体２内に引き込んだ際に、駆動ギヤ６６を軸支する駆動軸９０との干渉をさけるため、円弧状に湾曲されている。
【００５３】
回動支持片１６は、上述したように、略Ｌ字状に形成された矩形板状体からなり、長手方向の一端側に幅方向に貫通された軸孔４２が形成され、外筐体２の両側壁間に亘って架け渡された支軸４３に挿通支持されている。また、回動支持片１６は、長手方向の他端側に係止部４４が形成され、ディスクトレイ３の第２の回動支持部１７に回動自在に係止されている。かかる回動支持片１６は、ディスクトレイ３が矢印Ａ方向及び反矢印Ａ方向へ回動されると、支軸４３を支点に回動される。これにより、回動支持片１６は、ディスクトレイ３の背面側を支持して、挿脱位置や記録又は再生位置、さらには挿脱位置と記録又は再生位置との間においてディスクトレイ３の揺動を防止することができる。
【００５４】
次いで、光ピックアップユニット４を記録又は再生位置に搬送されたディスクトレイ３に接離させるカムプレート６５について説明する。カムプレート６５は、図１及び図１６に示すように、外筐体２の左右側壁２ｂ，２ｃの近傍にそれぞれ配設された左右一対のプレート板７１，７２を有し、これら一対のプレート板７１，７２によって光ピックアップユニット４のベースシャーシ５０を移動させるものである。
【００５５】
図１６に示すように、外筐体２の左側壁２ｂ側に配設され、ベースシャーシ５０の左側縁をガイドする左プレート板７１は、外筐体２の左側壁２ｂ側に突設されたスライドガイド片７３を有し、このスライドガイド片７３が左側壁２ｂに上下方向に亘って形成された図示しないガイド溝に挿通されている。これにより左プレート板７１は、左側壁２ｂに沿って昇降可能とされている。
【００５６】
外筐体２の右側壁２ｃ側に配設され、ベースシャーシ５０の右側縁をガイドする右プレート板７２は、外筐体２の右側壁２ｃ及び背面壁２ｄ側に上下方向に亘ってガイド溝７４が形成され、右側壁２ｃ及び背面壁２ｄに突設されたスライドガイド片（図示せず）に挿通されている。これにより、右プレート板７２は、スライドガイド片にガイドされながら右側壁２ｃに沿って昇降可能とされている。
【００５７】
これら左右プレート板７１，７２は、それぞれ駆動ギヤ６６と咬合する昇降ラック７５，７６と、ベースシャーシ５０の側面より突設されているガイド軸５５が挿通されるカム溝７７，７８が形成されている。昇降ラック７５，７６は、駆動ギヤ６６の配設位置に応じて形成されたラックアーム７９，８０に上下方向に亘って形成され、またカム溝７７，７８は、ベースシャーシ５０の配設位置に応じて形成されたカム壁８１，８２に上下方向に亘って形成されている。
【００５８】
ラックアーム７９，８０は、図２に示すように、上下方向に亘って昇降ラック７５，７６が形成されるとともに、上述した回動アーム１４の本体部４０に形成された係合溝４０ｂに係合される係合凸部８３，８４が突設されている（図２）。この係合凸部８３，８４は、係合溝４０ｂに係合され、回動アーム１４が回転されると本体部４０の回転方向に沿って形成された係合溝４０ｂ内を移動する。そして、各プレート板７１，７２は、回動アーム１４がディスクトレイ３を記録又は再生位置へ回動させる位置まで回転されると、係合凸部８３，８４が係合溝４０ｂの端部と当接して上方に引き上げられ、昇降ラック７５，７６と駆動ギヤ６６とが咬合されて昇降される。
【００５９】
カム壁８１，８２に形成されたカム溝７７，７８は、前面側垂直溝部７７ａ，７８ａと、背面側垂直溝部７７ｂ，７８ｂと、これら前面側垂直溝部７７ａ，７８ａと背面側垂直溝部７７ｂ，７８ｂとを連続させる傾斜溝部７７ｃ，７８ｃとを有する。また、カム溝７７，７８は、ベースシャーシ５０のガイド軸５５に応じて、上下に離間して２つ形成されている。そしてカム溝７７，７８は、各プレート板７１，７２が駆動ギヤ６６によって上下動されると、図１０及び図１１に示すように、ガイド軸５５を前面側垂直溝部７７ａ，７８ａと背面側垂直溝部７７ｂ，７８ｂとの間に亘ってガイドし、ベースシャーシ５０を外筐体２の前面２ａ側あるいは背面２ｄ側へ移動させる。
【００６０】
ベースシャーシ５０が外筐体２の前面２ａ側に移動されることにより、ベースフレーム５３が、ターンテーブル５２と光ディスクとのチャッキング位置へ移動され、光ディスクが回転可能に保持される。また、ベースシャーシ５０が外筐体２の背面２ｄ側に移動されることにより、ベースフレーム５３が、ターンテーブル５２と光ディスクとのチャッキング解除位置へ移動され、光ディスクが挿脱位置へ搬送可能とされる。
【００６１】
次いで、駆動ギヤ６６について説明する。駆動ギヤ６６は、上記カムプレート６５を昇降させるとともに回動アーム１４を回転させるものであり、外筐体２内の左右両側壁２ｂ，２ｃ間に架け渡されている駆動軸９０の両端に形成されている。図１に示すように、駆動ギヤ６６は、大径ギヤ６６ａと小径ギヤ６６ｂの二段ギヤからなり、大径ギヤ６６ａには駆動モータ６８の回転力が伝達される減速ギヤ列６７が咬合され、小径ギヤ６６ｂには回動アーム１４のラック部４０ａ及び昇降ラック７５，７６が咬合される。
【００６２】
駆動ギヤ６６の小径ギヤ６６ｂは、回動アーム１４のラック部４０ｂと咬合されることによりディスクトレイ３を記録又は再生位置と挿脱位置との間に亘って回動させ、また、カムプレート６５の昇降ラック７５，７６と咬合されることによりベースシャーシ５０に支持されたベースフレーム５３を光ディスクとのチャッキング位置とチャッキング解除位置との間に亘って移動させる。
【００６３】
小径ギヤ６６ｂとラック部４０ｂあるいは昇降ラック７５，７６との咬合は、ディスクトレイ３の回動動作と、ベースシャーシ５０の移動とに応じて切り換えられる。具体的に、ディスクトレイ３の回動操作時においては、図１３に示すように、小径ギヤ６６ｂは、回動アーム１４のラック部４０ａと咬合されると共に、カムプレート６５は外筐体２の下方に位置され、昇降ラック７５，７６との咬合は解除されている。このとき、ラックアーム７９，８０は、係合凸部８３，８４が回動アーム１４の係合溝４０ｂに係合され、回動アーム１４の回転に応じて係合溝４０ｂ内を移動する。またカムプレート６５が下方に位置されることにより、ベースシャーシ５０は、ガイド軸５５がカム溝７７，７８の背面側垂直溝部７７ｂ，７８ｂにガイドされることにより、外筐体２の背面側に退避されている。
【００６４】
駆動ギヤ６６により回動アーム１４が回動され、ディスクトレイ３が挿脱位置からほぼ記録又は再生位置まで回動されると、図１４に示すように、係合溝４０ｂを移動していた係合凸部８３，８４が係合溝４０ｂの端部によって上方へ引き上げられ、ラックアーム７９，８０が上昇される。これにより、小径ギヤ６６ｂはラックアーム７９，８０の昇降ラック７５，７６と咬合され、プレート板７１，７２を上昇させる。そして小径ギヤ６６ｂは、ディスクトレイ３が記録又は再生位置まで回動されると、回動アーム１４のラック部４０ａとの咬合が解除され、回動アーム１４の回転を停止させる。
【００６５】
なお、回動アーム１４と小径ギヤ６６ｂとの咬合が解除される直前に、カムプレート６５に突設されているガイドピン８６がディスクトレイ３の側面に形成されたガイド溝８７に係合する（図９及び図１０）。これによりディスクトレイ３は、小径ギヤ６６ｂとの咬合が外れた後も、ガイドピン８６及び回動アーム１４によって支持され、回動が規制される。またディスクトレイ３は、ガイド溝８７をスライドするガイドピン８６により、回動アーム１４との咬合が外れた後、記録又は再生位置までガイドされる。
【００６６】
小径ギヤ６６ｂがプレート板７１，７２を上昇させることにより、カム溝７７，７８の背面側垂直溝部７７ｂ，７８ｂに係合されているガイド軸５５は、傾斜溝部７７ｃ，７８ｃを介して前面側垂直溝部７７ａ，７８ａへ移動される。これにより、ベースシャーシ５０とともにベースフレーム５３がチャッキング解除位置からチャッキング位置へ移動し、ベースフレーム５３に支持されたターンテーブル５２がディスクトレイ３に保持された光ディスクの中心孔に進入する（図１１及び図１５）。
【００６７】
ベースフレーム５３がチャッキング解除位置からチャッキング位置へ移動する間、小径ギヤ６６ｂは、昇降ラック７５，７６との咬合状態が維持され、かつ回動アーム１４のラック部４０ａとの咬合解除状態が維持されている。光ディスクに対する情報信号の記録再生が終了し光ディスクの排出が指示されると、小径ギヤ６６ｂは、ラックアーム７９，８０を下降させ、ベースフレーム５３をチャッキング解除位置へ移動させる。そして小径ギヤ６６ｂは、ベースフレーム５３をチャッキング解除位置へ移動させた後、昇降ラック７５，７６との咬合が解除される。このとき、ラックアーム７９，８０の係合凸部８３，８４が回動アーム１４の開口部６９から係合溝４０ｂと係合し、係合溝４０ｂを下方に押圧することにより回動アーム１４を回転させる。これにより、小径ギヤ６６ｂは、回動アーム１４のラック部４０ａと咬合し、回動アーム１４を回転することにより、ディスクトレイ３を記録又は再生位置から挿脱位置に回動していく。
【００６８】
かかる駆動ギヤ６６を駆動させる駆動モータ６８及び、駆動モータ６８と駆動ギヤ６６を連結する減速ギヤ列６７は、いずれも外筐体２の右側壁２ｃ側に配設されている。そして駆動モータ６８は、正転あるいは逆転駆動されることにより、ディスクトレイ３を挿脱位置と記録又は再生位置との間に亘って回動させ、またベースシャーシ５０を外筐体２の前面２ａ側又は背面２ｄ側へ移動させることによりベースフレーム５３をチャッキング位置とチャッキング解除位置との間に亘って移動させる。
【００６９】
次いで、以上のように構成されるディスクドライブ装置１の光ディスクの搬送工程について説明する。ディスクドライブ装置１は、光ディスクの挿入を待機している状態においては、ディスクトレイ３が記録又は再生位置に回動され、外筐体２内に収納されている。このとき小径ギヤ６６ｂには、回動アーム１４のラック部４０ａが咬合され、カムプレート６５の昇降ラック７５，７６との咬合が解除されている。そしてディスクドライブ装置１は、ディスクトレイ３の排出が指示されると駆動モータ６８を正転駆動し、小径ギヤ６６ｂを介して回動アーム１４を回転させる。これにより、ディスクトレイ３は、反矢印Ａ方向に回動されてトレイ挿脱口１０から外筐体２外へ排出され、載置面部１２が略垂直方向へ向いた挿脱位置で停止される。このとき、クランパ５は、カムローラ６１がディスクトレイ３の土手部１３を摺動しながら、コイルバネ５９による付勢力に対抗して反矢印Ｂ方向へ回動され、外筐体２内において、クランププレート５６が略水平状態で保持されている（図９、図１２）。
【００７０】
ディスクトレイ３が挿脱位置へ回動されると、載置面部１２に設けられた保持部材２２は、保持アーム２３のガイド凸部２９がローター２４の回動規制溝３３を退避溝部３３ａにガイドされることにより、支持部２７が退避凹部３１内へ退避される。これにより、載置面部１２は、大径凹部１２ａ上及び小径凹部１２ｂ上に、大径、小径いずれの光ディスクも載置可能とされる（図６）。
【００７１】
載置面部１２に光ディスクが載置され、ローディング操作が指示されると、ディスクドライブ装置１は、駆動モータ６８が逆転駆動されることにより駆動ギヤ６６及び駆動ギヤ６６と咬合する回動アーム１４が回転され、ディスクトレイ３が矢印Ａ方向へ回動する。また、ディスクトレイ３の回動が開始すると、保持部材２２は、駆動モータ２５が駆動されることにより駆動ギヤ列３６及びラック３５を介してローター２４が回転され、保持アーム２３のガイド凸部２９が回動規制溝３３の退避溝部３３ａから第１の支持溝部３３ｂ又は第２の支持溝部３３ｃへガイドされる。
【００７２】
載置面部１２に大径ディスクが載置された場合、保持アーム２３は、ガイド凸部２９が退避溝部３３ａを移動することにより支持部２７が大径ディスクの外周面に当接され、内周方向への回動が規制される。この状態でさらにローター２４が回転されると、ガイド凸部２９が第１の支持溝部３３ｂ側にガイドされる。これにより、保持アーム２３は、支持部２７が大径ディスクの外周面を支持し、載置面部１２からの脱落を防止することができる（図７）。
【００７３】
載置面部１２に小径ディスクが載置された場合、保持アーム２３は、ガイド凸部２９が退避溝部３３ａを移動し、第１の支持溝部３３ｂと第２の支持溝部３３ｃとの分岐点までガイドされると、図示しないコイルバネによる載置面部１２の中心方向への付勢力によって第２の支持溝部３３ｃ側へ回動付勢される。この状態でさらにローター２４が回転されると、保持アーム２３は、ガイド凸部２９が第２の支持溝部３３ｃにガイドされることにより、支持部２７が小径ディスクの外周面に当接される。これにより、保持アーム２３は、支持部２７が小径ディスクの外周面を支持し、載置面部１２からの脱落を防止することができる（図８）。
【００７４】
大径又は小径の光ディスクが保持アーム２３によって支持された後、ディスクトレイ３は、さらに矢印Ａ方向に回動されていき、トレイ挿脱口１０より外筐体２内に収納されると共に、載置面部１２が略垂直状態となる記録又は再生位置まで回動される。なお、ディスクトレイ３が挿脱位置から記録又は再生位置まで回動されている間、回動アーム１４の本体部４０に形成された係合溝４０ｂには、ラックアーム７９，８０に突設されている係合凸部８３，８４が係合されている。そして、係合溝４０ｂが回動アーム１４の本体部４０の回転方向に沿って円弧状に形成されていることから、ラックアーム７９，８０は、係合凸部８３，８４が係合溝４０ｂに沿って移動することにより、昇降操作されることなく昇降ラック７５，７６は、駆動ギヤ６６との咬合が解除された状態が維持されている（図１３）。
【００７５】
またディスクトレイ３が矢印Ａ方向へ回動されると、クランパ５も、コイルバネ５９による付勢力によって矢印Ｂ方向へ回動されていく。このとき、クランパ５は、クランプアーム５７より垂下されて形成されたカムローラ６１がディスクトレイ３の土手部１３を摺動することにより、クランププレート５６が載置面部１２に載置された光ディスクやディスクトレイ３の主面部と所定のクリアランスを保ちながら回動され、光ディスクやディスクトレイ３の主面部との摺接が防止されている。そしてディスクトレイ３が記録又は再生位置まで回動されると、クランパ５は、カムローラ６１が土手部１３から降下し、光ディスクの中心孔と対峙されたクランププレート５６によって、ターンテーブル５２とともに光ディスクを挟持可能とされる（図１５）。
【００７６】
なお、かかるクランパ５は、コイルバネ５９の付勢力によってディスクトレイ３の回動方向と同方向に付勢されていることから、がたつくことなく回動される。またクランパ５は、外筐体２内において回動され、外部に露出することがないことから、テレビジョン装置８等の各種電子機器に搭載された際にも、装置構成の動作や外観上のデザインを自由に設計することができる。
【００７７】
ディスクトレイ３がほぼ記録又は再生位置まで回動されると、ラックアーム７９，８０は、回動アーム１４の係合溝４０ｂの端部に係合凸部８３，８４が当接し、上方に引き上げられることにより、上昇され、昇降ラック７５，７６と駆動ギヤ６６とが咬合される（図１０、図１４）。昇降ラック７５，７６と駆動ギヤ６６とが咬合された後、ディスクトレイ３が記録又は再生位置まで回動されると、回動アーム１４のラック部４０ａと駆動ギヤ６６との咬合が解除される。
【００７８】
昇降ラック７５，７６が駆動ギヤ６６と咬合されることにより、更に駆動ギヤ６６が駆動されると、カムプレート６５の左右プレート板７１，７２は、左右側壁２ｂ，２ｃに沿って外筐体２内を上昇する。各プレート板７１，７２が上昇されると、カム溝７７，７８の背面側垂直溝部７７ｂ，７８ｂに位置していたベースシャーシ５０のガイド軸５５が傾斜溝部７７ｃ，７８ｃを経て前面側垂直溝部７７ａ，７８ａへガイドされる（図１１、図１５）。
【００７９】
ベースシャーシ５０は、ガイド軸５５が前面側垂直溝部７７ａ，７８ａへガイドされることにより外筐体２の前面２ａ側に移動され、ベースフレーム５３がチャッキング解除位置からチャッキング位置へ移動されて、ターンテーブル５２が記録又は再生位置に搬送された光ディスクの中心孔に挿通される。これにより、光ディスクは、ターンテーブル５２及びクランププレート５６によって挟持され、ターンテーブル５２によって回転可能とされる。
【００８０】
光ディスクがターンテーブル５２及びクランププレート５６によって挟持されると、保持部材２２は、駆動モータ２５が駆動されることによりローター２４が回転されて、保持アーム２３のガイド凸部２９が第１の支持溝部３３ｂあるいは第２の支持溝部３３ｃから退避溝部３３ａへガイドされる。これにより、保持アーム２３は、コイルバネによる付勢力に対抗して、支持部２７が光ディスクの外周面から離間され、ガイド溝３０を退避凹部３１へ移動される。保持アーム２３が光ディスクの外周面から離間されることにより、ディスクドライブ装置１は、光ディスクを回転し、情報の書き込み又は読み出しが可能となる。
【００８１】
また、ベースフレーム５３がチャッキング位置へ移動されると、駆動モータ６８が停止され、カムプレート６５の上昇が停止される。このとき、左右プレート板７１，７２は、昇降ラック７５，７６と駆動ギヤ６６との咬合が維持されている。
【００８２】
光ディスクに対する記録又は再生が終了し、光ディスクの排出操作が指示されると、保持部材２２の駆動モータ２５が駆動され、ローター２４が回転されることにより、保持アーム２３のガイド凸部２９が退避溝部３３ａから光ディスクの径に応じて第１の支持溝部３３ｂあるいは第２の支持溝部３３ｃへガイドされる。これにより、保持アーム２３は、支持部２７が光ディスクの外周面を支持し、載置面部１２からの脱落を防止する。
【００８３】
次いで、駆動モータ６８が正転駆動され、昇降ラック７５，７６を介して左右プレート板７１，７２が外筐体２の側壁２ｂ，２ｃを下降していく。これにより、ベースシャーシ５０は、ガイド軸５５がカム溝７７，７８の前面側垂直溝部７７ａ，７８ａから傾斜溝部７７ｃ，７８ｃを経て背面側垂直溝部７７ｂ，７８ｂへガイドされ、ベースフレーム５３がチャッキング位置からチャッキング解除位置へ移動される。ベースフレーム５３がチャッキング解除位置へ移動されることにより、光ディスクは、ターンテーブル５２が中心孔から退避される。
【００８４】
ベースフレーム５３がチャッキング解除位置へ移動するまでプレート板７１，７２が下方に移動されると、ラックアーム７９，８０に突設されている係合凸部８３，８４が開口部６９より回動アーム１４の係合溝４０ｂに係合するとともに、回動アーム１４を下方に回転させる。これにより、回動アーム１４は、ラック部４０ａが駆動ギヤ６６と咬合される。また、回動アーム１４と駆動ギヤ６６とが咬合されると、プレート板７１，７２は、昇降ラック７５，７６と駆動ギヤ６６との咬合が解除される。これにより、駆動ギヤ６６との咬合がプレート板７１，７２から回動アーム１４へ切り換えられ、駆動モータ６８の駆動力が回動アーム１４及びディスクトレイ３側に供給される。
【００８５】
ディスクトレイ３は、回動アーム１４が回転されることにより反矢印Ａ方向へ回動され、トレイ挿脱口１０を介して外筐体２の外へ排出される。また、クランパ５は、カムローラ６１が土手部１３を摺動しながらディスクトレイ３に押圧されることにより反矢印Ｂ方向へ回動されていく。そして、ディスクトレイ３は、載置面部１２が略垂直方向へ向く挿脱位置まで回動されると、駆動モータ６８が停止されることにより回動が停止される。また、保持部材２２は、ディスクトレイ３が挿脱位置に回動されると、駆動モータ２５が駆動されて保持アーム２３の支持部２７が光ディスクの外周面から離間し、退避溝部３３ａへ退避する。これにより、ディスクトレイ３は、載置面部１２から光ディスクを取り出すことができ、また別の光ディスクを載置することができる。
【００８６】
以上のように、本発明が適用されたディスクドライブ装置１によれば、ディスクトレイ３を用いることで、光ディスクを載置面部１２に置くだけで装着でき、また載置面部１２からそのまま取り出すことすることができて着脱が容易となる。そして、ディスクドライブ装置１は、記録又は再生時には、ディスクトレイ３を載置面部１２を略垂直状態にして外筐体２内に収納されることから、トレイ挿脱口１０を外筐体２の前面２ａに設けることができ、さらに、外筐体２の挿脱位置におけるディスクトレイ３の載置面部１２の面方向への厚みを光ディスクの径以下に設計することができる。
【００８７】
このように、ディスクドライブ装置１及びこのディスクドライブ装置１が組み込まれたテレビジョン装置８は、光ディスクの着脱が容易なトレイタイプを採用しながら、光ディスクの載置面方向に薄い外筐体２を用いることができ、なおかつトレイ挿脱口１０を外筐体２あるいはテレビジョン装置８の装置本体の側面や上面ではなく前面側に設けることができる。したがって、テレビジョン装置８の左右にはスピーカ等の周辺機器を密着配置することができ、上面からの塵埃等の侵入も防止することができる。また、薄型化が図られたテレビジョン装置８等のモニタ装置において、使用者は、モニタが形成された装置本体の正面で光ディスクの着脱操作を行うことができ、使い勝手が向上される。
【００８８】
なお、ディスクトレイ３に、光ディスクの中心孔に挿通されるディスク保持部を設けると共に、このディスク保持部を回転するスピンドルモータを一体に形成すれば、ディスクトレイ３の回動方向は、上述したディスク載置面１２を略垂直状態と略水平状態とに向ける回動方向に限定されない。すなわち、光ディスクをユーザ自身の手でディスクトレイ３にチャッキングさせる場合には、挿脱位置における載置面部１２が略水平状態とされていなくとも、光ディスクが落下することなく挿脱を行うことができる。したがって、この場合には、挿脱位置及び記録又は再生位置における載置面部１２の向きやディスクトレイ３の回動方向を自由に設定することができる。
【００８９】
例えば、本発明は、載置面部１２を略垂直にした状態で、外筐体２の内外に亘って回動させることにより、挿脱位置においてはディスクトレイ３が載置面部１２を外筐体２の正面部２ａあるいはテレビジョン装置８の正面８ａと略直交した状態で外方に臨まされ、記録又は再生位置においてはディスクトレイ３が載置面部１２を外筐体２の正面部２ａあるいはテレビジョン装置８の正面８ａと略平行な状態で収納される（図３（ｂ）、（ｃ））。この場合も、ディスクトレイ３は、記録又は再生位置において略水平な状態で収納されるため、外筐体２あるいはテレビジョン装置８の薄型化を損なうことはない。
【００９０】
また、以上では、光ピックアップユニット４のベースシャーシ５０を水平方向に移動自在としたが、ディスクドライブ装置１は、光ピックアップ４のベースシャーシ５０の一端側を回動自在に外筐体２に挿通させ、他端側を前後方向に回動自在とし、カムプレート６５のガイド溝７４によって当該他端側を前後方向に回動させるように形成することもできる。この場合、ベースシャーシ５０は、一端側を支点に外筐体２の前後方向に回動させることにより、記録又は再生位置に搬送された光ディスクに対してターンテーブル５２が近接するチャッキング位置と、光ディスクに対してターンテーブル５２が離間するチャッキング解除位置との間を回動操作される。
【００９１】
また、以上では、本発明にかかるディスクドライブ装置１について、テレビジョン装置８に組み込まれた例について説明したが、ディスクドライブ装置１は、テレビジョン装置８以外の電子機器、例えばパソコンやオーディオ装置、車載用のＡＶ機器などに組み込むこともできる。
【図面の簡単な説明】
【００９２】
【図１】ディスクトレイが排出されたディスクドライブ装置を示す斜視図である。
【図２】ディスクトレイが収納されたディスクドライブ装置を示す斜視図である。
【図３】ディスクドライブ装置が組み込まれたテレビジョン装置を示す図である。
【図４】ディスクトレイを示す斜視図である。
【図５】ディスクトレイの裏面に設けられる保持部材を示す斜視図である。
【図６】ディスクトレイを示す平面図である。
【図７】保持アームが大径ディスクを支持しているディスクトレイを示す平面図である。
【図８】保持アームが小径ディスクを支持しているディスクトレイを示す平面図である。
【図９】ディスクトレイが挿脱位置へ回動されるとともに、ベースシャーシがチャッキング解除位置へ退避されているディスクドライブ装置を示す側面図である。
【図１０】駆動ギヤに対して回動アームと昇降ラックとの咬合切換が行われているディスクドライブ装置を示す側面図である。
【図１１】ディスクトレイが記録又は再生位置へ回動されるとともに、ベースシャーシがチャッキング位置へ退避されているディスクドライブ装置を示す側面図である。
【図１２】ディスクトレイが挿脱位置へ回動されたディスクドライブ装置を示す斜視図である。
【図１３】ディスクトレイが挿脱位置と記録又は再生位置の間を回動されているディスクドライブ装置を示す斜視図である。
【図１４】駆動ギヤに対して回動アームと昇降ラックとの咬合切換が行われているディスクドライブ装置を示す斜視図である。
【図１５】ディスクトレイが記録又は再生位置へ回動されるとともに、ベースシャーシがチャッキング位置へ退避されているディスクドライブ装置を示す斜視図である。
【図１６】カムプレートの右プレート板を示す斜視図である。
【符号の説明】
【００９３】
１  ディスクドライブ装置、２  外筐体、３  ディスクトレイ、４  光ピックアップユニット、５  クランパ、６  駆動機構、８  テレビジョン装置、１２  載置面部、１３  土手部、１４  回動アーム、１６  回動支持片、２２  保持部材、２３  保持アーム、２４  ローター、２５  駆動モータ、２７  支持部、２９  ガイド凸部、３３  回動規制溝、４０  本体部、４１  アーム部、４３  支軸、５０  ベースシャーシ、５１  ピックアップベース、５２  ターンテーブル、５３  ベースフレーム、５５  ガイド軸、５６  クランププレート、５７  クランプアーム、５９  コイルバネ、６０  カム片、６１  カムローラ、６５  カムプレート、６６  駆動ギヤ、６７  減速ギヤ列、６８  駆動モータ、７１，７２  プレート板、７５，７６  昇降ラック、７７，７８  カム溝、９０  駆動軸
【図１】
2008226364.tif 000003
【図２】
2008226364.tif 000004
【図３】
2008226364.tif 000005
【図４】
2008226364.tif 000006
【図５】
2008226364.tif 000007
【図６】
2008226364.tif 000008
【図７】
2008226364.tif 000009
【図８】
2008226364.tif 000010
【図９】
2008226364.tif 000011
【図１０】
2008226364.tif 000012
【図１１】
2008226364.tif 000013
【図１２】
2008226364.tif 000014
【図１３】
2008226364.tif 000015
【図１４】
2008226364.tif 000016
【図１５】
2008226364.tif 000017
【図１６】
2008226364.tif 000018